(57)【要約】      （修正有）【課題】ユーザをして大画面感を与えうるプラズマディスプレイ装置を提供する。【解決手段】  ユーザをして大画面感を与えうる画像を具現するために、画像が具現される表示領域１１３を含むＰＤＰ１１０と、前記ＰＤＰ１１０の前記表示領域１１３を取り囲むように前記ＰＤＰの非表示領域に配される補助ディスプレイ部材１９０と、を備えるプラズマディスプレイ装置である。【選択図】図３
2006285192.tif 000002
【特許請求の範囲】
【請求項１】
画像が具現される表示領域を含むプラズマディスプレイパネルと、
前記プラズマディスプレイパネルの表示領域を取り囲むように配される補助ディスプレイ部材と、を備えるプラズマディスプレイ装置。
【請求項２】
前記補助ディスプレイ部材は、複数の発光ダイオード（ＬＥＤ）を用いて画像を具現することを特徴とする請求項１に記載のプラズマディスプレイ装置。
【請求項３】
前記補助ディスプレイ部材は、前記表示領域の縁部で具現される画像に対応すべく画像を具現することを特徴とする請求項１に記載のプラズマディスプレイ装置。
【請求項４】
前記補助ディスプレイ部材は、前記表示領域の縁部に沿って連続的に配された所定数のピクセルで具現される画像の平均を単位ピクセルとして画像を具現することを特徴とする請求項３に記載のプラズマディスプレイ装置。
【請求項５】
画像が具現される表示領域を含むプラズマディスプレイパネルと、
前記プラズマディスプレイパネルの表示領域を取り囲むように配される補助ディスプレイ部材と、
前方には、前記プラズマディスプレイパネルが結合され、後方には、前記プラズマディスプレイパネルを駆動する回路が配線された回路部が配されるシャーシを備えるプラズマディスプレイ装置。
【請求項６】
前記表示領域で具現された画像が出射されるようにウィンドウが形成された前方ケースと、
前記前方ケースと結合され、前記前方ケースと共に前記プラズマディスプレイパネルが配される内部空間を限定する後方ケースと、をさらに備えることを特徴とする請求項５に記載のプラズマディスプレイ装置。
【請求項７】
前記補助ディスプレイ部材は、前記前方ケースと前記プラズマディスプレイパネルとの間に介在されることを特徴とする請求項６に記載のプラズマディスプレイ装置。
【請求項８】
前記補助ディスプレイ部材に対応する前方ケース部分は、半透明素材で形成されたことを特徴とする請求項７に記載のプラズマディスプレイ装置。
【請求項９】
前記補助ディスプレイ部材は、複数の発光ダイオードを用いて画像を具現することを特徴とする請求項６に記載のプラズマディスプレイ装置。
【請求項１０】
前記補助ディスプレイ部材は、前記表示領域の縁部で具現される画像に対応すべく画像を具現することを特徴とする請求項６に記載のプラズマディスプレイ装置。
【請求項１１】
前記補助ディスプレイ部材は、前記表示領域の縁部に沿って連続的に配された所定数のピクセルで具現される画像の平均を単位ピクセルとして画像を具現することを特徴とする請求項１０に記載のプラズマディスプレイ装置。
【発明の詳細な説明】
【技術分野】
【０００１】
本発明は、プラズマディスプレイ装置に係り、より詳細には、ユーザをして大画面を感じさせる画像を具現するプラズマディスプレイ装置に関する。
【背景技術】
【０００２】
プラズマディスプレイ装置は、気体放電現象を用いて画像を具現する平板ディスプレイ装置であって、大画面を有しつつも、高画質、超薄型、軽量化及び広視野角に優れた特性を有しており、他の平板ディスプレイ装置に比べて製造方法が簡単であり、かつ大型化が容易なために、最近、大型平板ディスプレイ装置として脚光を浴びている。
【０００３】
通常、このようなプラズマディスプレイ装置は、プラズマディスプレイパネル（ＰＤＰ）、このＰＤＰと実質的に平行に配されるシャーシ、このシャーシの後方に装着されて、ＰＤＰを駆動させる回路部、ＰＤＰ、シャーシ及び回路部を収容するケースなどを含んでいる。
【０００４】
ところで、最近、大型プラズマディスプレイ装置の需要が増加しているが、プラズマディスプレイ装置の大型化につれて、販売価格が大幅に上がって、消費者が所望のサイズのプラズマディスプレイ装置を購買できないという問題点がある。これは、プラズマディスプレイ装置が大型化されるほど、それに伴う製造費用も相対的に上昇するからである。
【０００５】
したがって、プラズマディスプレイ装置の費用があまりかからず、ユーザをして大型画面を見ているように感じさせる構造を有するプラズマディスプレイ装置が要求される。
【発明の開示】
【発明が解決しようとする課題】
【０００６】
本発明は、上記の問題点を解決して、ユーザをして大画面を感じさせる画像を具現するプラズマディスプレイ装置を提供することを目的とする。
【課題を解決するための手段】
【０００７】
上記の目的及びその他の目的を達成するために、本発明は、画像が具現される表示領域を含むＰＤＰと、前記ＰＤＰの表示領域を取り囲むように配される補助ディスプレイ部材と、を備えるプラズマディスプレイ装置を提供する。
【０００８】
また、本発明の他の側面によれば、本発明は、画像が具現される表示領域を含むＰＤＰと、前記ＰＤＰの表示領域を取り囲むように配される補助ディスプレイ部材と、前方には前記ＰＤＰが結合され、後方には前記ＰＤＰを駆動する回路が配線された基板が配されるシャーシと、を備えるプラズマディスプレイ装置を提供する。
【０００９】
本発明において、前記補助ディスプレイ部材は、複数の発光ダイオード（ＬＥＤ）を用いて画像を具現することが望ましい。
【００１０】
また、前記補助ディスプレイ部材は、前記表示領域の縁部で具現される画像に対応すべく画像を具現することが望ましい。この際、前記補助ディスプレイ部材は、前記表示領域の縁部に沿って連続的に配された所定数のピクセルで具現される画像の平均を単位ピクセルとして画像を具現することが望ましい。
【発明の効果】
【００１１】
本発明によれば、補助ディスプレイ部材によって、ＰＤＰの画像領域が拡大される効果を有する。したがって、ユーザがＰＤＰがさらに大きくなったような画面を感じられる。
【発明を実施するための最良の形態】
【００１２】
以下、添付した図面に基づいて本発明を詳細に説明する。
【００１３】
図１は、本発明の一実施例によるプラズマディスプレイ装置１００の分離斜視図であり、図２は、図１のII−II線の断面図である。図面に示すように、プラズマディスプレイ装置１００は、前方ケース１８０、後方ケース１８５、ＰＤＰ１１０、シャーシ１４０、回路部１５０、及び補助ディスプレイ部材１９０を備える。
【００１４】
前方ケース１８０は、中央部にＰＤＰ１１０で具現された画像が投射され、周辺部１８２によって取り囲まれたウィンドウ１８６が形成されている。後方ケース１８５は、前方ケース１８０と結合され、前方ケース１８０と共に、ＰＤＰ１１０、シャーシ１４０及び回路部１５０が内部に配されるための空間１１５を限定する。
【００１５】
前方ケース１８０の後方には、ウィンドウ１８６を覆うようにフィルター１７７が配されてＰＤＰ１１０及び回路部１５０で発生する電磁波を遮蔽し、ＰＤＰ１１０を保護する機能を行うが、望ましくは、ガラスを含む素材で形成される。このようなフィルター１７７は、フィルターホルダー１７５によって前方ケース１８０の周辺部１８２に密着される。すなわち、前方ケース１８０の周辺部１８２には、結合ボス１８３が形成されているが、結合ボス１８３は、フィルターホルダー１７５に形成された貫通孔１７５ａに挿入されたスクリュー１８７と結合され、フィルター１７７は、フィルターホルダー１７５と前方ケース１８０との間に介在され、前記結合によって前方ケース１８０の周辺部１８２に圧着固定される。
【００１６】
また、 ＰＤＰ１１０とフィルターホルダー１７５との間には、緩衝部材１８８が介在され、ＰＤＰ１１０とフィルターホルダー１７５との間の直接的な接触によるＰＤＰ１１０の損傷を防止する。
【００１７】
フィルターホルダー１７５の後方には、ＰＤＰ１１０が配されるが、ＰＤＰ１１０は、ガス放電現象を用いて画像を具現する。図３は、図１に示されたＰＤＰ１１０のピクセル及び補助ディスプレイ部材１９０のピクセルの配置を表す平面図である。図３に示すように、ＰＤＰ１１０は、中心部に配されて実際的な画像が具現される表示領域１１３と、表示領域１１３を取り囲むように形成され、端子部（図示せず）が形成されている非表示領域１１４とを含む。ＰＤＰの表示領域１１３で生成された画像は、前方ケースのウィンドウ１８６を通じて外部に出射され、表示領域１１３は、複数のピクセルＰ１１，Ｐ１２，…，Ｐｍｎを含む。また、各ピクセルは、赤色サブピクセルＲ、緑色サブピクセルＧ、青色サブピクセルＢを含む。例えば、第１１ピクセルＰ１１は、第１１赤色サブピクセルＲ１１、第１１緑色サブピクセルＧ１１、第１１青色サブピクセルＢ１１を備え、第ＭＮサブピクセルＰｍｎは、第ＭＮ赤色サブピクセルＲｍｎ、第ＭＮ緑色サブピクセルＧｍｎ、第ＭＮ青色サブピクセルＢｍｎを備える。
【００１８】
上記のＰＤＰ１１０としては、多様な種類のＰＤＰが採択されるが、その一例として図４に示すような面放電型３電極構造を有する交流型ＰＤＰ１１０が選択されうる。
【００１９】
図４を参照すれば、ＰＤＰ１１０は、前面パネル１２０と、前面パネル１２０と対向して結合される背面パネル１３０とを備える。前面パネル１２０は、前方に配された前面基板１２１と、前面基板１２１の背面に形成されてＸ電極１２３及びＹ電極１２４を各々備える維持電極対１２２と、維持電極対１２２を覆うように形成された前面誘電体層１２５と、前面誘電体層１２５の背面に形成された保護膜１２６とを備える。Ｘ電極１２３とＹ電極１２４は、各々共通電極とスキャン電極とで作用し、相互間に放電ギャップほど離隔されている。そして、前記Ｘ電極１２３は、Ｘ透明電極１２３ａとこれと接続されるように形成されたＸバス電極１２３ｂを備えており、このようなＹ電極１２４もＹ透明電極１２４ａとこれと接続されるように形成されたＹバス電極１２４ｂを備えている。
【００２０】
背面パネル１３０は、後方に配された背面基板１３１と、背面基板１３１の前面に形成されて維持電極対１２２との交差方向に延びたアドレス電極１３２と、アドレス電極１３２を覆うように形成された背面誘電体層１３３と、背面誘電体層１３３上に形成されて赤色、緑色、青色放電セル１３５Ｒ、１３５Ｇ、１３５Ｂを限定する隔壁１３４と、放電セル１３５Ｒ、１３５Ｇ、１３５Ｂ内に配された蛍光体層１３６、即ち蛍光体層１３６Ｒ、１３６Ｇ、１３６Ｂと、放電セル１３５Ｒ、１３５Ｇ、１３５Ｂ内に充填される放電ガスを含む。赤色放電セル１３５Ｒは、赤色サブピクセルＲａに対応して赤色発光蛍光体１３６Ｒが配されており、緑色放電セル１３５Ｇは、緑色サブピクセルＧｂに対応して緑色発光蛍光体１３６Ｇが配されており、青色放電セル１３５Ｂは、青色サブピクセルＢｃに対応して青色発光蛍光体１３６Ｂが配されている。
【００２１】
図１ないし図３を参照すれば、前方ケース１８０とフィルターホルダー１７５との間には、補助ディスプレイ部材１９０が配されている。補助ディスプレイ部材１９０は、前方ケース１８０の後面に固定され、前方ケースのウィンドウ１８６を取り囲むように配されている。したがって、補助ディスプレイ部材１９０は、ＰＤＰの表示領域１１３を取り囲むように配され、前記表示領域１１３を取り囲む画像を具現する。補助ディスプレイ部材１９０が配された前方ケース部分１８１は、半透明素材より形成されることが望ましい。これは補助ディスプレイ部材１９０で生成された画像が前方に投射されるためである。もし、前記部分１８１が透明な素材より形成される場合、ユーザが外部から補助ディスプレイ部材１９０を視覚的に確認できるために、外観上悪くなることを防止するためである。補助ディスプレイ部材１９０は、多様な画像表示装置が採択されるが、望ましくは、発光ダイオード（ＬＥＤ）１９４を用いる。本実施例において、補助ディスプレイ部材１９０は、複数のピクセルを形成し、各ピクセルは、赤色、緑色、青色発光ダイオード１９４を備える。また、補助ディスプレイ部材１９０のピクセルは、表示領域１１３の上方左側から時計回り方向に第１ピクセルＱ１、第２ピクセルＱ２，…，第ＬピクセルＱＬの順序で配されている。
【００２２】
モールディング、プレス加工などによって製造されうるシャーシ１４０は、ＰＤＰ１１０及び回路部１５０を支持する。シャーシ１４０は、ＰＤＰ１１０から伝えられる熱を外部に効率よく放出するために、アルミニウムのように熱伝導率の高い金属を用いて形成されることが望ましい。このようなＰＤＰ１１０とシャーシ１４０は、両面テープ１４１を用いて相互接着される。
【００２３】
ＰＤＰ１１０とシャーシ１４０との間には、熱伝導率の高い熱伝導シート１４２が介在され、ＰＤＰ１１０で局部的に発生する熱を分散させ、このようなＰＤＰ１１０で発生する熱の一部をシャーシ１４０に伝達する。ここで、前記熱伝導シート１４２としては、シリコンガラス、シリコン放熱シート、アクリル系放熱減圧接着剤シート、ウレタン系放熱減圧接着剤シート、炭素シートなどが使われる。
【００２４】
シャーシ１４０の後方には、回路部１５０が配されているので、回路部１５０は、回路配線及び前記回路配線に実装された各種電子部品を多数含む。回路部１５０は、ＰＤＰ１１０を駆動させるが、図５に示すように、回路部１５０は、映像処理部１５１、論理制御部１５２、アドレス駆動部１５３、Ｘ駆動部１５４、Ｙ駆動部１５５、補助ディスプレイ駆動部１５８及び、電源供給部１５６などを備える。ここで、映像処理部１５１は、外部アナログ映像信号をデジタル信号に変換して内部映像信号、例えば、各々８ビットの赤色、緑色及び青色映像データ、クロック信号、垂直及び水平同期信号を発生させる。
【００２５】
論理制御部１５２は、映像処理部１５１からの内部映像信号によってＰＤＰの駆動制御信号ＳＡ、ＳＹ、ＳＸを発生させる。また、論理制御部１５２は、補助ディスプレイ駆動部１５８に駆動制御信号を発生させるために、演算部（図示せず）及びメモリ部（図示せず）を備える。すなわち、論理制御部１５２は、ＰＤＰの駆動制御信号ＳＡ、ＳＹ、ＳＸを演算部を用いて補助ディスプレイ部材１９０の画像具現のための信号に演算し、このような駆動制御信号ＳＡ、ＳＹ、ＳＸ及び／または演算された駆動制御信号をメモリ部に保存する。また、演算された駆動制御信号を補助ディスプレイ駆動部１５８に出力する。
【００２６】
アドレス駆動部１５３は、論理制御部１５２からの駆動制御信号ＳＡ、ＳＹ、ＳＸのうち、アドレス信号ＳＡを処理して表示データ信号を発生させ、発生した表示データ信号をアドレス電極１３２に印加する。Ｘ駆動部１５４は、論理制御部１５２からの駆動制御信号ＳＡ、ＳＹ、ＳＸのうち、Ｘ駆動制御信号ＳＸを処理してＸ電極１２３に印加する。Ｙ駆動部１５５は、論理制御部１５２からの駆動制御信号ＳＡ、ＳＹ、ＳＸのうち、Ｙ駆動制御信号ＳＹを処理してＹ電極１２４に印加する。
【００２７】
補助ディスプレイ駆動部１５８は、論理制御部１５２から出力された駆動信号を入力され、赤色、緑色、青色発光ダイオード１９４を駆動する。
【００２８】
そして、電源供給部１５６は、映像処理部１５１及び論理制御部１５２に必要とする動作電圧と、アドレス駆動部１５３、Ｘ駆動部１５４、Ｙ駆動部１５５、及び補助ディスプレイ駆動部１５８に必要とする動作電圧と、を生成して供給する。
【００２９】
一方、回路部１５０は、信号伝達手段により電気的信号をＰＤＰ１１０に伝達する。信号伝達手段としては、ＦＰＣ（Ｆｌｅｘｉｂｌｅ  Ｐｒｉｎｔｅｄ  Ｃａｂｌｅ）、ＴＣＰ（Ｔａｐｅ  Ｃａｒｒｉｅｒ  Ｐａｃｋａｇｅ）、ＣＯＦ（Ｃｈｉｐ  Ｏｎ  Ｆｉｌｍ）などが選択されて使われうる。本実施例によれば、シャーシ１４０の左側及び右側には、信号伝達手段としてＦＰＣ１６０が配されており、シャーシ１４０の下側及び上側には信号伝達手段としてテープ状の配線部に少なくとも１つの電子素子が実装されたＴＣＰ１７０が配されている。そして、図１に示すように、ＴＣＰ１７０は、シャーシ１４０の上下側に所定間隔に各々離隔されて配列されている。
【００３０】
以下、図３に基づいて、ＰＤＰ１１０及び補助ディスプレイ部材１９０で具現される画像について詳細に説明する。
【００３１】
前述したように、ＰＤＰ１１０はガス放電現象を用いて画像を具現し、表示領域１１３内には多数個のピクセルが配されており、論理制御部１５２の信号によって画像を具現する。また、上記のＰＤＰの表示領域１１３を取り囲む補助ディスプレイ部材１９０はＰＤＰ１１０の縁部に配されたピクセルで具現される画像を具現する。
【００３２】
これを詳細に説明すれば、次の通りである。まず、ＰＤＰの表示領域１１３の縁部に沿って複数のピクセルが配されている。すなわち、表示領域１１３の左側最上部から時計回り方向に第１１ピクセルＰ１１、第１２ピクセルＰ１２，…，第１ＮピクセルＰ１ｎ、第２ＮピクセルＰ２ｎ，…，第ＭＮピクセルＰｍｎ、第Ｍ（Ｎ−１）ピクセルＰｍ（ｎ−１）…第Ｍ１ピクセルＰｍ１，…，第２１ピクセルＰ２１が配される。各ピクセルは、赤色、緑色、及び青色サブピクセルを含む。
【００３３】
また、前述したように、表示領域１１３の縁部に沿って補助ディスプレイ部材１９０の第１ピクセルＱ１、第２ピクセルＱ２，…，第ＬピクセルＱＬが配されている。本実施例において、補助ディスプレイ部材１９０の単位ピクセルは３つのＰＤＰ１１０のピクセルに対応するが、望ましくは、最も隣接するＰＤＰ１１０のピクセルに配される。図３を参照すれば、補助ディスプレイ部材１９０の第１ピクセルＱ１は、ＰＤＰの第１１ピクセルＰ１１、第１２ピクセルＰ１２、第１３ピクセルＰ１３に対応する。表示領域１１３の左右側縁部及び下側縁部に配された補助ディスプレイ部材１９０の１ピクセルとＰＤＰ１１０の３個のピクセルの対応関係についても、前記と類似しているので、その詳細な説明は省略する。
【００３４】
前記説明において、対応するＰＤＰ１１０のピクセルと補助ディスプレイ部材１９０のピクセルは、画像具現において相関される。例えば、３個のＰＤＰ１１０のピクセルで生成された画像の色相の平均と彩度の平均とを有する画像を有するように補助ディスプレイ部材１９０の単位ピクセルが駆動される。したがって、ＰＤＰの縁部に配されたピクセルで生成される画像と類似した画像が補助ディスプレイ部材１９０を通じて具現されうる。但し、本実施例では、３個のＰＤＰ１１０のピクセルごとに１つの補助ディスプレイ部材１９０のピクセルが対応するが、本発明はこれに限定されない。
【００３５】
前述したように補助ディスプレイ部材１９０を通じてＰＤＰ１１０の画像を補助する場合、ユーザは、ＰＤＰの表示領域１１３だけでなく、補助ディスプレイ部材１９０によって具現される画像まで延びるように画像を見られるので、全体的に画面が大きくなったと感じられる。特に、人間の視覚が主に画面の中央に集中するために、外郭側にはさらに少ない情報だけが要求される。したがって、画面の外郭側には、詳細な情報ではない色調だけをマッチングさせることによって、ユーザは中央の鮮明な画質を見ると同時に、さらに大きくなった画面を感じられる。また、本実施例では、補助ディスプレイ部材１９０が発光ダイオードを用いて補助画像を具現しているが、本発明はこれに限定されず、通常の小型電球や蛍光灯などの照明装置を用いて画像を具現しても良い。
【産業上の利用可能性】
【００３６】
本発明は、ユーザをして大画面感を与えうるプラズマディスプレイ装置関連の技術分野に好適に適用されうる。
【図面の簡単な説明】
【００３７】
【図１】本発明の一実施例によるプラズマディスプレイ装置の分離斜視図である。
【図２】図１のII−II線の断面図である。
【図３】図１に示されたＰＤＰのピクセル及び補助ディスプレイ部材のピクセルの配置を表す平面図である。
【図４】図１に示されたＰＤＰの一例を示す部分切開分離斜視図である。
【図５】図１に示された回路部の駆動を説明するためのブロック図である。
【符号の説明】
【００３８】
１１０    ＰＤＰ
１１３    表示領域
１１４    非表示領域
１９０    補助ディスプレイ部材
１９４    発光ダイオード
Ｐ    ピクセル  
【図１】
2006285192.tif 000003
【図２】
2006285192.tif 000004
【図３】
2006285192.tif 000005
【図４】
2006285192.tif 000006
【図５】
2006285192.tif 000007